(57)【特許請求の範囲】
【請求項１】
底面に開口した排水口２を備える槽体１と、
排水口２に取り付けられる排水栓３と、
排水栓３内に備えられ、その上下動により排水口２の開口／閉口を行う弁体４と、
弁体４の上下動を遠隔的に操作する、適宜箇所に設置された操作部５と、
操作部５から弁体４まで連絡して操作部５の操作を弁体４に伝達するレリースワイヤ６と、
排水栓３内部に着脱自在に取り付けられるとともに、レリースワイヤ６を取付けることにより、当該レリースワイヤ６を排水栓３に配置固定するためのワイヤー受け部と、
から構成される遠隔操作式排水栓装置であって、
レリースワイヤ６を仮保持するためのホルダー部８を前記排水栓３の下方に配置される部材に構成し、
施工時において一時的にホルダー部８に仮保持されたレリースワイヤ６は、施工完了時にはワイヤー受け部に取付けられることで排水栓３に配置固定されてなることを特徴とする遠隔操作式排水栓装置。
【請求項２】
前記ホルダー部８を、排水栓３の下方に配置される部材に固定保持される支持部８１と、レリースワイヤ６の端部と着脱自在に取り付けられ、尚かつ支持部８１に取付固定される脱着部８２とで構成したことを特徴とする前記請求項１に記載の遠隔操作式排水栓装置。
【請求項３】
前記排水栓３の下方に配置される部材が、排水が流入する流入口９１及び排水が排水される流出口９２を構成した断面視Ｌ字状のエルボ部材９によって構成されることを特徴とする前記請求項１又は請求項２のいずれか一つに記載の遠隔操作式排水栓装置。
【請求項４】
前記排水栓３の下方に配置される部材が、排水が流入する流入口及び排水が排出される流出口と、レリースワイヤ６を挿通する挿通孔を備えた接続管１０によって構成されることを特徴とする前記請求項１又は請求項２のいずれか一つに記載の遠隔操作式排水栓装置。
【請求項５】
レリースワイヤ６の端部に、軟質材により構成された引き上げ体１１を脱着自在に構成したことを特徴とする前記請求項１乃至請求項４のいずれか一つに記載の遠隔操作式排水栓装置。
【請求項６】
前記遠隔操作式排水栓装置において、予め工場などでホルダー部８にレリースワイヤ６を取付け、また、排水栓３にワイヤー受け部７を取付けておき、その後、施工現場にて排水栓３を排水栓３の下方に配置される部材に取付け、その後排水栓３の上方からレリースワイヤ６を引き上げて、レリースワイヤ６をワイヤー受け部７に取付けることによって施工が完了する前記請求項１乃至請求項５いずれか一つに記載する遠隔操作式排水栓装置の施工方法。
【発明の詳細な説明】
【技術分野】
【０００１】
本発明は、槽体の排水口配置される弁体を遠隔操作によって開閉することができる、遠隔操作式排水栓装置とその施工方法に関するものである。
【背景技術】
【０００２】
従来の遠隔操作式排水栓装置は、レリースワイヤを排水栓の中央部に配置固定するために、エルボ部材の内部に、ホルダー部材を構成して、レリースワイヤとエルボ部材とを固定させて、結果的に排水栓中央部にレリースワイヤを配置固定させるものがある（例えば、特許文献１参照）。また、従来の遠隔操作式排水栓装置は、レリースワイヤを排水栓の中心部に取付固定するための構成としてワイヤー受け部を用いたものがある（例えば、特許文献２参照）。
【０００３】
以下、図１４に記載の従来の遠隔操作式排水栓装置について説明する。この従来例の遠隔操作式排水栓装置は、浴室の浴槽に施工取り付けされ、槽体としての浴槽、排水口、排水栓、弁体、操作部、レリースワイヤ、ホース体、エルボ部材、ホルダー部、から構成される。
浴槽は、箱体形状の槽体であり、底部に排水口を開口し、上縁部には操作部が構成される。
排水口は、浴槽の底部に構成される開口であって、本従来例では、外周面に雄ねじを有した筒状であって、上端部に外側に飛び出す鍔を構成する排水栓を備える。
排水栓は、後記するエルボ部材が下端に接続され、更に中央にはレリースワイヤが固定されるように、排水栓の内周面から中央へ延出して構成されるアーム部、アーム部によって中央に配置されてレリースワイヤを接続固定する軸受け部、を一体的に構成している。
弁体は、上下動することにより排水口を開閉する部材であり、弁体が上動した際は排水口が開口するので排水を行うことができ、弁体が下降した際は、弁体が排水口に着座して排水口が閉口し、浴槽内に貯水することが可能となる。また、弁体は止水用の軟質材からなるパッキンと、弁体裏面中央には、弁軸が下垂して構成され、当該弁軸が排水栓の中央に位置する軸受け部内に上下動自在に支承される構成となっている。
操作部は、浴槽の上縁部に構成される押しボタンであり、使用者が操作部を押動することにより、排水口に配置されている弁体が上下動する構成となっている。操作部には、レリースワイヤのインナーワイヤの進退を保持する保持機構としてのスラストロック機構が構成されるとともに、保持機構を介してレリースワイヤの端部が接続されている。
レリースワイヤは、金属線の圧縮スプリング形状のインナーワイヤと、インナーワイヤを内部に進退自在に収納する四フッ化エチレンからなるアウターチューブと、常にインナーワイヤを操作部側に進行した状態にて付勢する戻りスプリングから構成される。また、レリースワイヤの一端は操作部に接続され、他端は後記するホルダー部に固定される。インナーワイヤの排水口側端部は、弁体の上下動用ロッド部が構成されて、弁体の裏面に脱着自在に接続して構成される。また、アウターチューブの排水口側端部には、後記するネジ体が構成される。
ホース体は、屈曲自在の管体であって、前記操作部と、後記するエルボ部材のレリースワイヤ挿通孔間を接続して構成される。また、施工後にはホース体内部をレリースワイヤが配置されることとなる。
エルボ部材は、排水が内部に流入して排出される部材であって、上方に排水の流入口、側面に排水の排出口、レリースワイヤが挿通されるレリースワイヤ挿通孔を構成してなる。又、側面視Ｌ字状であって、流入口に排水栓が接続され、排出口は下水管へと接続されてなる。
ホルダー部は、エルボ部材の底面に一体的に構成される部材であって、レリースワイヤのアウターチューブ端部を固定させて、結果的に排水栓の中央部にレリースワイヤの端部が配置固定される為の部材である。尚、当該ホルダー部は、エルボ部材底面中心部（特に、施工後に排水栓の中心部となるよう設計されている）から柱状に上方に凸出して構成され、レリースワイヤのアウターチューブ端部と接続されるネジ部を構成する。
【０００４】
上記のように構成された遠隔操作式排水栓装置は以下のように施工される。
施工現場にて浴槽を適宜箇所に配置し、エルボ部材の流出口を下水管に配管する。そして、浴槽の適宜箇所に配置された操作部の上方からレリースワイヤを挿通すると、操作部からエルボ部材のレリースワイヤ挿通孔まで接続しているホース体内部を、ホース体によってガイドされながらレリースワイヤはエルボ部材のレリースワイヤ挿通孔からエルボ部材内部まで配置される。その後、浴槽内部の排水栓上方からペンチなどでレリースワイヤを引き上げる。そして、エルボ部材内部に配置固定されたホルダー部にレリースワイヤのアウターチューブ端部のネジを螺合させて接続固定する。この状態で、レリースワイヤは排水口の中心位置となるよう施工される。そして、その後、浴槽の排水口に排水栓を取り付けるが、このときに、排水栓の軸受け部内にレリースワイヤのインナーワイヤを挿通させながら排水栓を浴槽に取り付け、弁体の弁軸を軸受け部内のインナーワイヤ上端に配置させて、遠隔操作式排水栓装置の施工が完了する。
【０００５】
上記のように構成された遠隔操作式排水栓装置は以下のような動作及び排水の流れとなる。
浴槽内に排水が貯水されている時、排水口の弁体は排水栓に着座している。この状態時に、操作部に操作を加えると、操作部に連絡しているレリースワイヤのインナーワイヤが前進し、ワイヤー受け部内の弁軸に当接して弁軸を押し上げ、弁体を排水栓から離間させる。この時、操作部のスラストロック機構が作動して、インナーワイヤの進行をロックするため、弁体の上昇は維持される。こうして、浴槽内の排水は排水栓から排水される。
排水栓から排水された排水は、エルボ部材の流入口からエルボ部材内に流入して、エルボ部材の流出口からその下流へと排水される。排水は排水トラップを介して最終的には下水管へと排水されることとなる。
この状態から、再度操作部を操作すると、インナーワイヤが少し進行し、操作部のスラストロック機構を作動させる。そうするとスラストロック機構のロックが解除され、インナーワイヤにセットされていたリターンスプリングの反発力により、インナーワイヤが後退するため、インナーワイヤの先端に配置された弁体はその自重により下降する。弁体が下降して排水栓に着座すると、排水栓は閉口されるため、槽体内に排水が貯水されることとなる。
以後、この操作部の操作の繰り返しによって、弁体の上下動が動作し、更に弁体の上下動に合わせて排水が排水／貯水されることとなる。
【０００６】
以下、別の従来例として図１５に記載の従来の遠隔操作式排水栓装置について説明する。この従来例の遠隔操作式排水栓装置は、浴室の浴槽に施工取り付けされ、槽体としての浴槽、排水口、排水栓、弁体、操作部、レリースワイヤ、ホース体、ワイヤー受け部、エルボ部材、から構成される。
浴槽は、箱体形状の槽体であり、底部に排水口を開口し、上縁部には操作部が構成される。
排水口は、浴槽の底部に構成される開口であって、本従来例では、外周面に雄ねじを有した筒状であって、上端部に外側に飛び出す鍔を構成する排水栓を備える。
排水栓は、内部に突状の係合用のリブを構成し、ワイヤー受け部の取付部と脱着自在に係合する。
弁体は、上下動することにより排水口を開閉する部材であり、弁体が上動した際は排水口が開口するので排水を行うことができ、弁体が下降した際は、弁体が排水口に着座して排水口が閉口し、浴槽内に貯水することが可能となる。また、弁体は止水用の軟質材からなるパッキンと、弁体裏面にはレリースワイヤの端部が直結され、レリースワイヤのインナーワイヤの進退に合わせて上下動する構成となっている。
操作部は、浴槽の上縁部に構成される押しボタンであり、使用者が操作部を押動することにより、排水口に配置されている弁体が上下動する構成となっている。操作部には、レリースワイヤのインナーワイヤの進退を保持する保持機構としてのスラストロック機構が構成されるとともに、保持機構を介してレリースワイヤの端部が接続されている。
レリースワイヤは、金属線の圧縮スプリング形状のインナーワイヤと、インナーワイヤを内部に進退自在に収納する四フッ化エチレンからなるアウターチューブと、常にインナーワイヤを操作部側に進行した状態にて付勢する戻りスプリングから構成される。また、レリースワイヤの一端は操作部に接続され、他端は排水口内部に配置接続される。インナーワイヤの排水口側端部は、弁体の上下動用ロッド部が構成されて、弁体の裏面に脱着自在に接続して構成される。また、アウターチューブの排水口側端部には、後記するネジ体が構成される。
ホース体は、屈曲自在の管体であって、前記操作部と、後記するエルボ部材のレリースワイヤ挿通孔間を接続して構成される。また、施工後にはホース体内部をレリースワイヤが配置されることとなる。
ワイヤー受け部は、リング体、軸受け部、支承部、取付部、から構成され、レリースワイヤを排水口内中心部に配置する部材である。
リング体は、排水口の排水栓内周面に沿うように構成される環状の部材である。
軸受け部は、レリースワイヤを排水栓中心部に配置させる箱体の部材であり、内部に上下貫通するレリースワイヤを収納する空間を有し、その下端にはレリースワイヤを挿通する挿通孔を開口する。また挿通孔には雌ねじを構成する。
挿通孔には、レリースワイヤが内部に挿通する開口を有し、その外周に雄ねじを螺設したネジ体を構成する。
支承部は、軸受け部をリング体中央に支承するための構成要素であり、上面視リング体内周から中心方向に向かって延出し、リング体中心部分に軸受け部を配置・支承するアーム態様のものである。
取付部は、ワイヤー受け部を排水栓内部に脱着自在に、且つ強固に取り付けるための係合部分であって、リング体から下方に向かって延出する脚体である。尚、この取付部は前記した排水栓内周部の係合用のリブに強固に係合することで取り付けることが出来る。
エルボ部材は、排水が内部に流入して排出される部材であって、上方に排水の流入口、側面に排水の排出口、排出口が構成されている排出口の他方にレリースワイヤ挿通孔を構成してなる。又、側面視Ｌ字状であって、流入口に排水栓が接続され、排出口は下水管へと接続されてなる。
【０００７】
上記のように構成された遠隔操作式排水栓装置は以下のように施工される。
浴槽である槽体の排水口に、予め排水栓を取り付け、排水栓下端にエルボ部材の流入口を取り付ける。その後、施工現場にて浴槽を適宜箇所に配置し、エルボ部材の流出口を下水管に配管する。そして、浴槽の適宜箇所に配置された操作部の上方からレリースワイヤを挿通すると、操作部からエルボ部材のレリースワイヤ挿通孔まで接続しているホース体内部を、ホース体によってガイドされながらレリースワイヤはエルボ部材のレリースワイヤ挿通孔からエルボ部材内部まで挿通される。その後、浴槽内部の排水栓上方からペンチなどでレリースワイヤを引き上げ、ワイヤー受け部の軸受け部にアウターチューブを取り付けて、排水栓内部にワイヤー受け部が脱着自在に取り付ける。そして、インナーワイヤの先端のロッド部に弁体を脱着自在に取り付けて、遠隔操作式排水栓装置の施工は完了する。
【０００８】
上記のように構成された遠隔操作式排水栓装置は以下のような動作及び排水の流れとなる。
浴槽内に排水が貯水されている時、排水口の弁体は排水栓に着座している。この状態時に、操作部に操作を加えると、操作部に連絡しているレリースワイヤのインナーワイヤが前進し、レリースワイヤの先端に取り付けられた弁体を押し上げ、弁体を排水栓から離間させる。この時、操作部のスラストロック機構が作動して、インナーワイヤの進行をロックするため、弁体の上昇は維持される。こうして、浴槽内の排水は排水栓から排水される。
排水栓から排水された排水は、エルボ部材の流入口からエルボ部材内に流入して、エルボ部材の流出口からその下流へと排水される。排水は排水トラップを介して最終的には下水管へと排水されることとなる。
この状態から、再度操作部を操作すると、インナーワイヤが少し進行し、操作部のスラストロック機構を作動させる。そうするとスラストロック機構のロックが解除され、インナーワイヤにセットされていたリターンスプリングの反発力により、インナーワイヤが後退するため、インナーワイヤの先端のロッド部に取り付けられた弁体はそのインナーワイヤの後退に合わせて引き込まれるように下降する。弁体が下降して排水栓に着座すると、排水栓は閉口されるため、槽体内に排水が貯水されることとなる。
以後、この操作部の操作の繰り返しによって、弁体の上下動が動作し、更に弁体の上下動に合わせて排水が排水／貯水されることとなる。
【先行技術文献】
【特許文献】
【０００９】
【特許文献１】特開平１０−１６８９７３号公報
【特許文献２】特開平２００２−８８８５３号公報
【発明の概要】
【発明が解決しようとする課題】
【００１０】
図１４に示した遠隔操作式排水栓装置は、レリースワイヤの固定を、エルボ部材に備えたホルダー部にて行っている為、レリーワイヤの高さ位置が固定される為、当初設定より浴槽の厚みが前後すればレリースワイヤの高さも変わるため、弁体が規定の高さまで上動しなかったり、更には弁体が規定の寸法分下降せず排水栓に着座しないこともあった。このような遠隔操作式排水栓装置は、弁体が所定の高さに移動しないため、排水流量が悪くなったり、止水不良を発生させるなどして問題があった。
また、当該従来例の遠隔操作式排水栓装置は、施工の際に、エルボ部材に取り付けられたアウターチューブから、インナーワイヤをペンチ等で引っ張り出してワイヤー受け部の軸受け部内に挫屈して作動不良に陥りやすいインナーワイヤを挿通させなければならず、このような精密性を伴うような作業を、狭い浴槽上で行わなければならず、施工性が悪かった。
また、図１５に示した遠隔操作式排水栓装置は、レリースワイヤを、排水栓に取り付けるワイヤー受け部に取り付け固定するため、浴槽の厚みのバラツキには対応できるものの、狭い浴槽内で、操作部からレリースワイヤを挿通させて、排水口からレリースワイヤを引き上げてワイヤー受け部に接続して、ワイヤー受け部を排水栓に取り付けなければならなかった為、施工性が悪かった。又、施工現場にて行う作業が多く、施工現場は狭い浴室等で作業者が作業せねばならず、レリースワイヤを操作部から挿通する際等に、レリースワイヤを挫屈させて作動不良にしてしまう確率が高かった。
【００１１】
本発明の遠隔操作式排水栓装置は、
１．施工性が良い遠隔操作式排水栓装置。
２．施工の際にレリースワイヤが作動不良等発生防止である遠隔操作式排水栓装置。
３．弁体の着座不良等発生しない遠隔操作式排水栓装置であること。
という課題を解決する為に発明されたものである。
【課題を解決するための手段】
【００１２】
請求項１に記載の本発明は、底面に開口した排水口２を備える槽体１と、排水口２に取り付けられる排水栓３と、排水栓３内に備えられ、その上下動により排水口２の開口／閉口を行う弁体４と、弁体４の上下動を遠隔的に操作する、適宜箇所に設置された操作部５と、操作部５から弁体４まで連絡して操作部５の操作を弁体４に伝達するレリースワイヤ６と、排水栓３内部に着脱自在に取り付けられるとともに、レリースワイヤ６を取付けることにより、当該レリースワイヤ６を排水栓３に配置固定するためのワイヤー受け部と、から構成される遠隔操作式排水栓装置であって、レリースワイヤ６を仮保持するためのホルダー部８を前記排水栓３の下方に配置される部材に構成し、施工時において一時的にホルダー部８に仮保持されたレリースワイヤ６は、施工完了時にはワイヤー受け部に取付けられることで排水栓３に配置固定されてなることを特徴とする遠隔操作式排水栓装置である。
【００１３】
請求項２に記載の本発明は、前記ホルダー部８を、排水栓３の下方に配置される部材に固定保持される支持部８１と、レリースワイヤ６の端部と着脱自在に取り付けられ、尚かつ支持部８１に取付固定される脱着部８２とで構成したことを特徴とする前記段落００１２に記載の遠隔操作式排水栓装置である。
【００１４】
請求項３に記載の本発明は、前記排水栓３の下方に配置される部材が、排水が流入する流入口９１及び排水が排水される流出口９２を構成した断面視Ｌ字状のエルボ部材９によって構成されることを特徴とする前記段落００１２又は段落００１３のいずれか一つに記載の遠隔操作式排水栓装置である。
【００１５】
請求項４に記載の本発明は、前記排水栓３の下方に配置される部材が、排水が流入する流入口１０１及び排水が排出される流出口と、レリースワイヤ６を挿通する挿通孔を備えた接続管１０によって構成されることを特徴とする前記段落００１２又は段落００１３のいずれか一つに記載の遠隔操作式排水栓装置である。
【００１６】
請求項５に記載の本発明は、レリースワイヤ６の端部に、軟質材により構成された引き上げ体１１を脱着自在に構成したことを特徴とする前記段落００１２乃至段落００１５のいずれか一つに記載の遠隔操作式排水栓装置である。
【００１７】
請求項６に記載の本発明は、前記遠隔操作式排水栓装置において、予め工場などでホルダー部８にレリースワイヤ６を取付け、また、排水栓３にワイヤー受け部７を取付けておき、その後、施工現場にて排水栓３を排水栓３の下方に配置される部材に取付け、その後排水栓３の上方からレリースワイヤ６を引き上げて、レリースワイヤ６をワイヤー受け部７に取付けることによって施工が完了する前記段落００１２乃至段落００１６いずれか一つに記載する遠隔操作式排水栓装置の施工方法である。
【発明の効果】
【００１８】
本発明の遠隔操作式排水栓装置は以下のような効果を奏する。
請求項１に記載の本発明は、レリースワイヤ６を仮保持するためのホルダー部８を前記排水栓３の下方に配置される部材に構成したことから、レリースワイヤ６を一時的に保持することが出来るので、工場等で予めレリースワイヤ６を排水栓３下方に配置される部材に取り付けたまま出荷することができ、狭い施工現場において、レリースワイヤ６の挿通作業を行わなくても良いので、施工現場にて煩わしい作業を行わなくても済み、施工性が向上した。また、レリースワイヤ６の挿通時の挫屈が発生しなくなるので、作動不良が発生しない。
請求項２に記載の本発明は、前記ホルダー部８を、排水栓３の下方に配置される部材に固定保持される支持部８１と、レリースワイヤ６の端部と着脱自在に取り付けられ、尚かつ支持部８１に取付固定される脱着部８２とで構成したことから、レリースワイヤ６の施工の際に、設計上の幅ができ、ホルダー部８の形状によって、エルボ部材９と一体成型出来ない場合に別構成とすることによって、ホルダー部８を構成することができる。
請求項３に記載の本発明は、前記排水栓３の下方に配置される部材が、排水が流入する流入口９１及び排水が排水される流出口９２を構成した断面視Ｌ字状のエルボ部材９によって構成したことから、排水口２からの排水を、排水口２に対して側方に配置される下水管方向に排出させることができる。
請求項４に記載の本発明は、前記排水栓３の下方に配置される部材が、排水が流入する流入口１０１及び排水が排出される流出口と、レリースワイヤ６を挿通するレリースワイヤ挿通孔を備えた接続管１０によって構成されたことから、排水口２からの排水を、排水口２に対して下方に配置する下水管方向に排出することができる。
請求項５に記載の本発明は、レリースワイヤ６の端部に、軟質材により構成された引き上げ体１１を脱着自在に構成したことから、施工現場において、槽体１上部から、小さい排水栓３内部から簡単にレリースワイヤ６を引き上げる事が出来るため、施工性がより向上した。
請求項６に記載の本発明は、前記遠隔操作式排水栓装置において、予め工場などでホルダー部８にレリースワイヤ６を取付け、また、排水栓３にワイヤー受け部７を取付けておき、その後、施工現場にて排水栓３を排水栓３の下方に配置される部材に取付け、その後排水栓３の上方からレリースワイヤ６を引き上げて、レリースワイヤ６をワイヤー受け部７に取付けることによって施工が完了する遠隔操作式排水栓装置の施工方法としたことから、予め工場等でレリースワイヤ６を排水栓３の下方に配置される部材に取り付けておくことで、狭い現場においてレリースワイヤ６を挿通する作業を行わなくても良くなった。
【図面の簡単な説明】
【００１９】
【図１】本発明の遠隔操作式排水栓装置の断面斜視図である。
【図２】本発明の遠隔操作式排水栓装置の施工手順を示す断面図である。
【図３】本発明の遠隔操作式排水栓装置の施工手順を示す断面図である。
【図４】本発明の遠隔操作式排水栓装置の施工手順を示す断面図である。
【図５】本発明の遠隔操作式排水栓装置の施工手順を示す断面図である。
【図６】本発明の先覚操作式排水栓装置の施工状態を示す断面図である。
【図７】本発明の遠隔操作式排水栓装置の一部斜視図である。
【図８】本発明の遠隔操作式排水栓装置の一部斜視図である。
【図９】本発明のエルボ部材の上面図である。
【図１０】本発明の遠隔操作式排水栓装置の斜視図である。
【図１１】本発明の遠隔操作式排水栓装置の斜視図である。
【図１２】本発明の遠隔操作式排水栓装置の、引き上げ体を用いて施工した際の断面図である。
【図１３】本発明の遠隔操作式排水栓装置の、その他の実施例を示す断面図である。
【図１４】従来の遠隔操作式排水栓装置を示す断面図である。
【図１５】従来の遠隔操作式排水栓装置を示す断面図である。
【発明を実施するための形態】
【００２０】
図１乃至図１２に記載の本発明の遠隔操作式排水栓装置について説明する。本実施例の遠隔操作式排水栓装置は、浴室の浴槽に施工取り付けされ、槽体１としての浴槽、排水口２、排水栓３、弁体４、操作部５、レリースワイヤ６、ホース体１２、ワイヤー受け部７、エルボ部材、ホルダー部８、引き上げ体１１、から構成される。
浴槽は、図６に示すように、箱体形状の槽体１であり、底部に排水口２を開口し、上縁部には操作部５が構成される。
排水口２は、浴槽の底部に構成される開口であって、本従来例では、外周面に雄ねじを有した筒状であって、上端部に外側に飛び出す鍔を構成する排水栓３を備える。
排水栓３は、内部に突状の係合用のリブを構成し、ワイヤー受け部７の取付部７４と脱着自在に係合する。
弁体４は、上下動することにより排水口２を開閉する部材であり、弁体４が上動した際は排水口２が開口するので排水を行うことができ、弁体４が下降した際は、弁体４が排水口２に着座して排水口２が閉口し、浴槽内に貯水することが可能となる。また、弁体４は止水用の軟質材からなるパッキンと、弁体４裏面にはレリースワイヤ６の端部が直結され、レリースワイヤ６のインナーワイヤ６１の進退に合わせて上下動する構成となっている。
操作部５は、図６に示すように、浴槽の上縁部に構成される押しボタンであり、使用者が操作部５を押動することにより、排水口２に配置されている弁体４が上下動する構成となっている。操作部５には、レリースワイヤ６のインナーワイヤ６１の進退を保持する保持機構としてのスラストロック機構が構成されるとともに、保持機構を介してレリースワイヤ６の端部が接続されている。
レリースワイヤ６は、金属線の圧縮スプリング形状のインナーワイヤ６１と、インナーワイヤ６１を内部に進退自在に収納する四フッ化エチレンからなるアウターチューブ６２と、常にインナーワイヤ６１を操作部５側に進行した状態にて付勢する戻りスプリングから構成される。また、レリースワイヤ６の一端は操作部５に接続され、他端は排水口２内部に配置接続される。インナーワイヤ６１の排水口２側端部は、弁体４の上下動用ロッド部６３が構成されて、弁体４の裏面に脱着自在に接続して構成される。また、アウターチューブ６２の排水口２側端部には、後記するネジ体が構成される。
ホース体１２は、屈曲自在の管体であって、前記操作部５と、後記するエルボ部材のレリースワイヤ挿通孔９３間を接続して構成される。また、施工後にはホース体１２内部をレリースワイヤ６が配置されることとなる。
ワイヤー受け部７は、リング体７１、軸受け部７２、支承部７３、取付部７４、から構成され、レリースワイヤ６を排水口２内中心部に配置する部材である。
リング体７１は、排水口２の排水栓３内周面に沿うように構成される環状の部材である。
軸受け部７２は、レリースワイヤ６を排水栓３中心部に配置させる箱体の部材であり、内部に上下貫通するレリースワイヤ６を収納する空間を有し、その下端にはレリースワイヤ６を挿通する挿通孔を開口する。また挿通孔には雌ねじを構成する。
挿通孔には、レリースワイヤ６が内部に挿通する開口を有し、その外周に雄ねじを螺設したネジ体を構成する。
支承部７３は、軸受け部７２をリング体７１中央に支承するための構成要素であり、上面視リング体７１内周から中心方向に向かって延出し、リング体７１中心部分に軸受け部７２を配置・支承するアーム態様のものである。
取付部７４は、ワイヤー受け部７を排水栓３内部に脱着自在に、且つ強固に取り付けるための係合部分であって、リング体７１から下方に向かって延出する脚体である。尚、この取付部７４は前記した排水栓３内周部の係合用のリブに強固に係合することで取り付けることが出来る。
エルボ部材は、排水が内部に流入して排出される部材であって、上方に排水の流入口９１、側面に排水の排出口、排出口が構成されている排出口の他方にレリースワイヤ挿通孔９３を構成してなる。又、側面視Ｌ字状であって、流入口９１に排水栓３が接続され、排出口は下水管へと接続されてなる。
ホルダー部８は、図７乃至図１０に示したように、エルボ部材９の底部に一定的に構成される支持部８１と、支持部８１に取り付けられる脱着部８２を構成して成る。支持部８１はエルボ部材９の側面の一部から中心方向に向かい、且つ底面から上方に壁状に突出して構成され、流入口９１からの上面視、排水栓３の中央部がＴ字状となるよう構成されている。また、脱着部８２は前記支持部８１に取り付けられる部材であり、図７及び図９に示すように、支持部８１のＴ字状の壁体に合致する溝部を構成している。尚、脱着部８２は、図７に示すように、上記支持部８１と合致して係合固定されるように構成される。又、脱着部８２はレリースワイヤ６の端部を一時期に保持する保持構造を有する。本実施例では、レリースワイヤ６のアウターチューブ６２に係合凹部を構成し、保持構造は当該係合凹部に合致する係合爪を構成し、これらが着脱自在に係合することで、図１０の状態のように保持構造部分にレリースワイヤ６の端部が仮保持（一時的に保持）されることとなる。このような構成とすることで、工場組立時に予めホース体１２内部とエルボ部材９にレリースワイヤ６を仮保持して出荷できるため、施工時にわざわざ狭い操作部５から排水口２までレリースワイヤ６を挿通させる作業等を行う必要がない。
引き上げ体１１は、図１２に示したように、レリースワイヤ６のロッド部６３先端に着脱自在に取り付けられる棒状の部材であって、レリースワイヤ６に接続されていない端部は球形をしており、更には柔軟性のある軟質材から構成される。尚、この引き上げ体１１は、レリースワイヤ６操作部５から排水栓３までガイドするための部材であり、先端が球形であるから、ホース体１２の継ぎ目の段差に引っ掛かったりせずにスムーズに挿通させることができる。また、軟質材で構成されているため、ホース体１２の屈曲に対応して円滑に挿通させることができるし、排水栓３からレリースワイヤ６を引き上げる際も先端の球体が構成されているため、簡単に引き上げることが出来る。
【００２１】
上記のように構成された遠隔操作式排水栓装置は以下のように施工される。
予め工場などの広い箇所で、レリースワイヤ６を操作部５からホース体１２を介して挿通させ、エルボ部材９に構成されたホルダー部８にレリースワイヤ６を仮保持する。（尚、ここでいう「仮保持」とは、一時的に保持するという主旨である。）このようにエルボ部材９のホルダー部８に取り付けられた図１０で示したような状態の遠隔操作式排水栓装置を施工現場に持ち込み、施工現場においては図２のようにエルボ部材９の流出口９２と下水管を配管し、浴槽の排水口２に排水栓３を取り付け、エルボ部材９の流入口９１上部に排水栓３が位置するよう浴槽を設置する。ここで排水栓３とエルボ部材９の流入口９１を水密的に接続させ、エルボ部材９のレリースワイヤ６槽通孔に接続されたホース体１２の他端の操作部５を浴槽の上縁部に取り付ける。
この状態から、図１２に示したように、排水栓３の上部から排水口２内にペンチや指を入れて、レリースワイヤ６先端に取り付けられた引き上げ体１１を引き上げることにより、小さい排水口２から簡単に取り出すことができる。引き上げ体１１によって引き上げられたレリースワイヤ６先端から引き上げ体１１を取り外し、図３で示したように、ワイヤー受け部７の軸受け部７２にレリーワイヤの先端を接続させて、ワイヤー受け部７を排水栓３に取り付ける。そして弁体４をレリースワイヤ６の先端に図５に示したように着脱自在に取り付けることによって、図６に示したように遠隔操作式排水栓装置の施工が完了する。
【００２２】
上記のように構成された遠隔操作式排水栓装置は以下のような動作及び排水の流れとなる。
浴槽内に排水が貯水されている時、排水口２の弁体４は排水栓３に着座している。この状態時に、操作部５に操作を加えると、操作部５に連絡しているレリースワイヤ６のインナーワイヤ６１が前進し、レリースワイヤ６の先端に取り付けられた弁体４を押し上げ、弁体４を排水栓３から離間させる。この時、操作部のスラストロック機構が作動して、インナーワイヤ６１の進行をロックするため、弁体４の上昇は維持される。こうして、浴槽内の排水は排水栓３から排水される。
排水栓３から排水された排水は、エルボ部材９の流入口９１からエルボ部材９内に流入して、エルボ部材９の流出口９２からその下流へと排水される。排水は排水トラップを介して最終的には下水管へと排水されることとなる。
この状態から、再度操作部５を操作すると、インナーワイヤ６１が少し進行し、操作部５のスラストロック機構を作動させる。そうするとスラストロック機構のロックが解除され、インナーワイヤ６１にセットされていたリターンスプリングの反発力により、インナーワイヤ６１が後退しするため、インナーワイヤ６１の先端のロッド部６３に取り付けられた弁体４はそのインナーワイヤ６１の後退に合わせて引き込まれるように下降する。弁体４が下降して排水栓３に着座すると、排水栓３は閉口されるため、槽体１内に排水が貯水されることとなる。
以後、この操作部５の操作の繰り返しによって、弁体４の上下動が動作し、更に弁体４の上下動に合わせて排水が排水／貯水されることとなる。
【００２３】
本実施例は上記のように記載したが、上記実施例に限定されるものではなく、請求項に記載の内容を超えない範囲で適宜設計変更は可能である。
例えば、図１３に示したように、エルボ部材９にホルダー部８を構成するのではなく、排水栓３下端に接続される、管状の接続管１０を構成しても良い。この場合、レリースワイヤ挿通孔９３も接続管１０の側面に構成されることとなる。
【符号の説明】
【００２４】
１    槽体
２    排水口
３    排水栓
４    弁体
５    操作部
６    レリースワイヤ
６１  インナーワイヤ
６２  アウターチューブ
６３  ロッド部
７    ワイヤー受け部
７１  リング体
７２軸受け部
７３  支承部
７４  取付部
８    ホルダー部
８１  支持部
８２  脱着部
９    エルボ部材
９１  流入口
９２  流出口
９３  レリースワイヤ挿通孔
１０  接続管
１１  引き上げ体
１２  ホース体
【図１】
0005597834.tif 000002
【図２】
0005597834.tif 000003
【図３】
0005597834.tif 000004
【図４】
0005597834.tif 000005
【図５】
0005597834.tif 000006
【図６】
0005597834.tif 000007
【図７】
0005597834.tif 000008
【図８】
0005597834.tif 000009
【図９】
0005597834.tif 000010
【図１０】
0005597834.tif 000011
【図１１】
0005597834.tif 000012
【図１２】
0005597834.tif 000013
【図１３】
0005597834.tif 000014
【図１４】
0005597834.tif 000015
【図１５】
0005597834.tif 000016